(57)【要約】【課題】大形看板などの形状に合わせて電子ペーパーを切断し、貼付するという作業を、より簡易な塗布という作業に置き換える。【解決手段】電子画像の画素を画素ユニット２０１で構成し、多数の画素ユニット２０１を透明樹脂４０１に混合した電子塗料４０２を大型看板などに塗布する。各画素ユニット２０１の無線通信制御手段２０５は画像情報無線伝送装置２１２に自己の画素ユニット２０１の識別情報２０６を送信し、その識別情報２０６を受信した画像情報無線伝送装置２１２は当該画素ユニット２０１の電子ペーパー２０８で発色する色情報２１０を送信し、その色情報２１０を受信した画素ユニット２０１は電子ペーパー駆動手段２０７で電子ペーパー２０８を駆動して色情報２１０に応じた色を発色する。色情報２１０に重畳された電力信号２１１から無線電力受信手段２０４で電子回路に必要な電力を生成する。【選択図】図１
2012203320.tif 000002
【特許請求の範囲】
【請求項１】
電子ペーパーと、識別情報と、色情報を受信する無線通信制御手段と、前記色情報に対応して前記電子ペーパーの色表示を行う電子ペーパー駆動手段と、を画素ユニットとして備え、
前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、
前記電子ペーパーを前記画素ユニットの全方位から視認できる配置としたことを特徴とする表示装置。
【請求項２】
電子ペーパーと、識別情報と、色情報を受信する無線通信制御手段と、前記色情報に対応して前記電子ペーパーの色表示を行う電子ペーパー駆動手段と、を画素ユニットとして備え、
前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、
前記電子ペーパーを前記画素ユニットの最外層に配置したことを特徴とする表示装置。
【請求項３】
電子ペーパーと、識別情報と、色情報を受信する無線通信制御手段と、前記色情報に対応して前記電子ペーパーの色表示を行う電子ペーパー駆動手段と、を画素ユニットとして備え、
前記無線通信制御手段は、アンテナと、電子回路と、を備え、
前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、
前記電子ペーパーを前記アンテナの内側に配置し、
前記アンテナの形状を前記電子ペーパーの一部分を視認可能な形状としたことを特徴とする表示装置。
【請求項４】
電子ペーパーと、識別情報と、色情報を受信する無線通信制御手段と、前記色情報に対応して前記電子ペーパーの色表示を行う電子ペーパー駆動手段と、を画素ユニットとして備え、
前記無線通信制御手段は、アンテナと、電子回路と、を備え、
前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、
前記電子ペーパーを前記アンテナの内側に配置し、
前記アンテナの形状を前記電子ペーパーの一部分を視認可能な線状としたことを特徴とする表示装置。
【請求項５】
電子ペーパーと、識別情報と、色情報を受信する無線通信制御手段と、前記色情報に対応して前記電子ペーパーの色表示を行う電子ペーパー駆動手段と、を画素ユニットとして備え、
前記無線通信制御手段は、アンテナと、電子回路と、を備え、
前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、
前記電子ペーパーを前記アンテナの内側に配置し、
前記アンテナを光透過性としたことを特徴とする表示装置。
【請求項６】
電子ペーパーと、識別情報と、色情報を受信する無線通信制御手段と、前記色情報に対応して前記電子ペーパーの色表示を行う電子ペーパー駆動手段と、を画素ユニットとして備え、
前記無線通信制御手段は、アンテナと、電子回路と、を備え、
前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、
前記電子ペーパーと、前記アンテナと、前記電子回路と、を前記画素ユニットの最外層に配置したことを特徴とする表示装置。
【請求項７】
前記画素ユニットが、無線電力受信手段を更に備え、
前記無線電力受信手段が、前記色情報の送信信号に重畳して前記画像情報無線伝送装置が送信する電力信号を受信し、当該電力信号から得た電力を、前記無線通信制御手段、前記電子ペーパー駆動手段、及び、前記電子ペーパーの電源として供給することを特徴とする請求項１乃至６の何れか一項に記載の表示装置。
【発明の詳細な説明】
【技術分野】
【０００１】
本発明は、電力供給時に表示させた画像を電力供給停止後も保持可能な画像表示メディアを構成する表示装置に関するものである。
【背景技術】
【０００２】
近年の技術として、紙のように薄く、フレキシブルである電子ペーパーが知られている。この電子ペーパーは、表示させる画像を何度も書き換えることができ、書き換え後は、表示中でも電力が不要であり、紙と同じように反射光を利用して表示を行うため、視野角が広く、直射日光に当たっても見やすく、目に対する負担が少ない、という利点を有している。また、例えば下記非特許文献１のように、デジタルサイネージ、所謂電子看板が映像情報サービスとして、よりビジネスの視点で現実味を増してきており、例えば下記非特許文献２のように、公共空間のデジタルサイネージ媒体として電子ペーパーの利用も始まっている。そこで、本発明者は、より大型のデジタルサイネージ媒体として、屋内にとどまらず屋外においても利用可能である電子ペーパーを発明し、下記特許文献１として出願した。
【先行技術文献】
【特許文献】
【０００３】
【特許文献１】特願２０１０−２１６０２０
【非特許文献】
【０００４】
【非特許文献１】月刊ディスプレイ、２００９年４月号  Ｖｏｌ．１５  No.４、「デジタルサイネージの市場動向」、足立吉弘著、第３７項から第３７項
【非特許文献２】月刊ディスプレイ、２０１０年７月号  Ｖｏｌ．１６  No.７、「電子ペーパーのデジタルサイネージにおけるデザイン心理学からのアプローチ」、日比野治雄著、第２０項から第２４項
【発明の概要】
【発明が解決しようとする課題】
【０００５】
特許文献１に記載される電子ペーパーは、図７に示すように、電子ペーパー１０１を大型看板１０２等の形状に合わせて切断し、貼付するという作業が必要であるが、本発明によって、より簡易な塗布という作業に置き換えることができる。
【課題を解決するための手段】
【０００６】
前述した目的を達成するため、本発明は、請求項１に記載したように、電子ペーパーと、識別情報と、色情報を受信する無線通信制御手段と、前記色情報に対応して前記電子ペーパーの色表示を行う電子ペーパー駆動手段と、を画素ユニットとして備え、前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、前記電子ペーパーを前記画素ユニットの全方位から視認できる配置としたことを特徴としている。
【０００７】
また、本発明は、請求項２に記載したように、電子ペーパーと、識別情報と、色情報を受信する無線通信制御手段と、前記色情報に対応して前記電子ペーパーの色表示を行う電子ペーパー駆動手段と、を画素ユニットとして備え、前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、前記電子ペーパーを前記画素ユニットの最外層に配置したことを特徴としている。
【０００８】
また、本発明は、請求項３に記載したように、電子ペーパーと、識別情報と、色情報を受信する無線通信制御手段と、前記色情報に対応して前記電子ペーパーの色表示を行う電子ペーパー駆動手段と、を画素ユニットとして備え、前記無線通信制御手段は、アンテナと、電子回路と、を備え、前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、前記電子ペーパーを前記アンテナの内側に配置し、前記アンテナの形状を前記電子ペーパーの一部分を視認可能な形状としたことを特徴としている。
【０００９】
また、本発明は、請求項４に記載したように、電子ペーパーと、識別情報と、色情報を受信する無線通信制御手段と、前記色情報に対応して前記電子ペーパーの色表示を行う電子ペーパー駆動手段と、を画素ユニットとして備え、前記無線通信制御手段は、アンテナと、電子回路と、を備え、前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、前記電子ペーパーを前記アンテナの内側に配置し、前記アンテナの形状を前記電子ペーパーの一部分を視認可能な線状としたことを特徴としている。
【００１０】
また、本発明は、請求項５に記載したように、電子ペーパーと、識別情報と、色情報を受信する無線通信制御手段と、前記色情報に対応して前記電子ペーパーの色表示を行う電子ペーパー駆動手段と、を画素ユニットとして備え、前記無線通信制御手段は、アンテナと、電子回路と、を備え、前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、前記電子ペーパーを前記アンテナの内側に配置し、前記アンテナを光透過性としたことを特徴としている。
【００１１】
また、本発明は、請求項６に記載したように、電子ペーパーと、識別情報と、色情報を受信する無線通信制御手段と、前記色情報に対応して前記電子ペーパーの色表示を行う電子ペーパー駆動手段と、を画素ユニットとして備え、前記無線通信制御手段は、アンテナと、電子回路と、を備え、前記画素ユニットは、自己の画素ユニットに対して画像情報無線伝送装置から送信された前記色情報を前記無線通信制御手段が受信し、前記無線通信制御手段が受信した色情報に対応して前記電子ペーパーの色表示を前記電子ペーパー駆動手段が行い、前記電子ペーパーと、前記アンテナと、前記電子回路と、を前記画素ユニットの最外層に配置したことを特徴としている。
【００１２】
また、本発明は、請求項７に記載したように、前記画素ユニットが、無線電力受信手段を更に備え、前記無線電力受信手段が、前記色情報の送信信号に重畳して前記画像情報無線伝送装置が送信する電力信号を受信し、当該電力信号から得た電力を、前記無線通信制御手段、前記電子ペーパー駆動手段、及び、前記電子ペーパーの電源として供給することを特徴としている。
【発明の効果】
【００１３】
本発明によれば、画素ユニットの全方位から電子ペーパーを視認することができるため、複数の画素ユニットを透明樹脂などと混ぜ、大型看板などに塗布するだけで、電子看板とすることができる。これにより、電子ペーパーを大型看板などの形状に合わせて切断し、貼付するという従来の作業を、より簡易な塗布という作業に置き換えることができる。
【図面の簡単な説明】
【００１４】
【図１】本発明の表示装置の一実施形態を示すシステム構成図である。
【図２】図１の表示装置の概略構成図である。
【図３】図２の表示装置の塗布方法の説明図である。
【図４】図２の表示装置で構成された大型看板の使用説明図である。
【図５】図１の画像情報データテーブルの作成説明図である。
【図６】図２の表示装置で構成された大型看板の使用説明図である。
【図７】従来の表示装置を用いた大型看板の説明図である。
【発明を実施するための形態】
【００１５】
以下に説明される発明の形態を添付の図面を参照して通読することにより、本発明の詳細は更に明確化されるであろう。
以下、本発明の好適な実施形態を図面に基づいて説明する。
図１は、本発明の表示装置の実施の形態を示す機能ブロック図である。この表示システムは、画素ユニット２０１と、画像情報無線伝送装置２１２と、座標検出装置２２０を備えている。以下に、図１中左上の画素ユニット２０１を説明する。
【００１６】
この画素ユニット２０１を構成する電子回路は、無線通信制御手段２０５と、無線電力受信手段２０４と、電子ペーパー駆動手段２０７と、表示素子としての電子ペーパー２０８を備えている。無線通信制御手段２０５は、図１中右上の画像情報無線伝送装置２１２とアンテナ２０３を介して無線通信を行い、画素毎、つまり画素ユニット２０１毎に異なる独自の識別情報２０６を画像情報無線伝送装置２１２に送信し、画像情報無線伝送装置２１２から画素毎、つまり画素ユニット２０１毎に異なる色情報２１０を受信する。また、無線電力受信手段２０４は、画像情報無線伝送装置２１２からアンテナ２０３を介して受信した無線信号から色情報の送電信号を分離した後の電力信号２１１を整流し、回路全体のＤＣ電力を生成する。これらアンテナ２０３、無線電力受信手段２０４、及び、無線通信制御手段２０５を構成する電子回路には、例えばＲＦＩＤの規格であるＩＳＯ／ＩＥＣ１５６９３準拠のＲＦＩＤタグと同様の仕組みを利用することができる。
【００１７】
また、電子ペーパー駆動手段２０７は、無線電力受信手段２０４で生成したＤＣ電力を昇圧して電子ペーパー２０８を駆動するのに十分な電圧を生成し、無線通信制御手段２０５から受け取った色情報２１０に基づいて電子ペーパー２０８を発色駆動させる。
次に、図１中右上の前記画像情報無線伝送装置２１２について説明する。この画像情報無線伝送装置２１２を構成する電子回路は、無線通信制御手段２１４と、メモリ２１６を備えている。前記無線通信制御手段２１４は、アンテナ２１３を介して前記画素ユニット２０１の無線通信制御手段２０５と無線通信を行い、画素毎、つまり画素ユニット２０１毎に異なる識別情報２０６を受信し、受信した識別情報２０６に対応する画素ユニット２０１に対し、当該画素ユニット２０１で発色する色情報２１０を送信する。また、メモリ２１６は、画素、つまり画素ユニット２０１の識別情報２０６と色情報２１０とを関連づけた画像情報データテーブル２１５を記憶している。この画像情報テーブル２１５は、後述するＰＣ（パーソナルコンピュータ）６０１（図５参照）によって生成され、画像情報無線伝送装置２１２の無線通信制御手段２１４に転送される。
【００１８】
各画素、つまり各画素ユニット２０１に対する色情報２１０を送信する際、無線通信制御手段２１４は、画素ユニット２０１から受信した識別情報２０６をアドレスポインタとして画像情報データテーブル２１５を参照し、その画素、つまり画素ユニット２０１に対応する色情報２１０を識別情報２０６と共にアンテナ２１３から無線信号で送信する。この無線信号には、画素ユニット２０１を構成する電子回路に電力を供給するための電力信号２１１が重畳されている。この画像情報無線伝送装置２１２の無線通信制御手段２１４を構成する電子回路には、例えばＲＦＩＤの規格であるＩＳＯ／ＩＥＣ１５６９３準拠のＲＦＩＤリーダライタと同様の仕組みを利用することができる。
【００１９】
なお、画像情報無線伝送装置２１２から画素ユニット２０１の識別情報２０６と共に色情報２１０を送信し、画素ユニット２０１の無線通信制御手段２０５が自己の識別情報２０６を受信したときに、その識別情報２０６と共に受信した色情報２１０により電子ペーパー駆動手段２０７が電子ペーパー２０８を発色駆動するようにしてもよい。
次に、図１中左下の座標検出装置２２０について説明する。この座標検出装置２２０を構成する電子回路は、無線通信制御手段２２４、座標検出手段２２６、メモリ２２７を備えている。この座標検出装置２２０の無線通信制御手段２２４は、アンテナ２２３を介して画素ユニット２０１の無線通信制御手段２０５と無線通信を行い、画素毎、つまり画素ユニット２０１毎に異なる識別情報２０６を受信する。また、座標検出手段２２６は、後述するように座標検出装置２２０を使用した場合の当該座標検出装置２２０の直下（直近）の画素ユニット２０１の空間座標、即ち座標検出装置２２０自体の空間座標を検出する。メモリ２２７は、画素、つまり画素ユニット２０１の識別情報２０６と座標検出手段２２６の座標情報とを関連づけた座標情報データテーブル２２５を記憶している。この座標情報データ２２５は、後述するＰＣ６０１（図５参照）に転送される。また、画素ユニット２０１から識別情報２０６を受信する際、座標検出装置２２０の無線通信制御手段２２４からは、画素ユニット２０１を構成する電子回路に電力を供給するための電力信号２２１をアンテナ２２３を介して送信する。この座標検出装置２２０の無線通信制御手段２２４を構成する電子回路には、例えばＲＦＩＤの規格であるＩＳＯ／ＩＥＣ１５６９３準拠のＲＦＩＤリーダライタと同様の仕組みを利用することができる。
【００２０】
図２には、画素ユニット２０１の２種類の概略構成を示す。前記無線電力受信装置２０４、無線通信制御手段２０５、及び、電子ペーパー駆動手段２０７は、ＩＣチップ３０１に集積化されている。図２ａの画素ユニット２０１では、ＩＣチップ３０１、及び、アンテナ２０３を電子ペーパー２０８で立体的に包み込むことにより、電子ペーパー２０８は画素ユニット２０１の最外層に配置されている。この画素ユニット２０１では、全ての方向から電子ペーパー２０８を視認することができる。
【００２１】
図２ｂの画素ユニット２０１では、電子ペーパー２０８は、ＩＣチップ３０１、及び、可視光透過性のアンテナ３０２に立体的に包まれて画素ユニット２０１の内側に配置されている。この画素ユニット２０１では、電子ペーパー２０８は可視光透過性のアンテナ３０２に包まれているため、画素ユニット２０１の全ての方向から電子ペーパー２０８を視認することができる。
【００２２】
これらの実施形態に加えて、図１の画素ユニット２０１のアンテナ２０３の形状を、アンテナ２０３越しに電子ペーパー２０８又はその一部を視認できる形状、例えば線状とすれば、画素ユニット２０１のアンテナ２０３の内側に電子ペーパー２０８を配置したとしても、画素ユニット２０１の全ての方向から電子ペーパー２０８を視認することができる。また、電子ペーパー２０８、アンテナ２０３、無線通信制御手段２０５を構成する電子回路を画素ユニット２０１の最外層に配置する場合にも、画素ユニット２０１の全ての方向から電子ペーパー２０８を視認することができる。
【００２３】
次に、前記画素ユニット２０１を塗布する手順について図３を用いて説明する。本実施形態では、液状の透明樹脂４０１に複数の画素ユニット２０１を混合し、その混合物を電子塗料４０２とし、その電子塗料４０２を大型看板１０２などに塗布する。
次に、前記座標検出装置２２０で画素ユニット２０１の座標情報を検出する手順について図４を用いて説明する。座標検出装置２２０が大型看板１０２などの全領域を走査することで、大型看板１０２などに塗布された全ての画素ユニット２０１の識別情報２０６を受信する。その間、各画素ユニット２０１の識別情報２０６を受信したときの座標検出装置２２０の空間座標を当該座標検出装置２２０の座標検出手段２２６が検出し、その空間座標を各画素ユニット２０１の座標とする。座標検出装置２２０は、各画素ユニット２０１の識別情報２０６と、検出された各画素ユニット２０１の座標を関連づけてメモリ２２７内の座標情報データテーブル２２５に蓄積する。そして、座標検出装置２２０からＰＣ６０１（図５参照）に座標情報データテーブル２２５を転送する。
【００２４】
次に、図５、図６を用いて、ＰＣ６０１による画像のデザインから大型看板１０２に塗布された電子塗料４０２の表示画像を書き換えるまでの一連の手順を説明する。まず、図５に示すように、大型看板１０２（図４参照）に塗布された電子塗料４０２（図３参照）の画素、つまり画素ユニット２０１に割り振られた識別情報２０６、言い換えれば画像６０２の各画素のアドレス情報と各画素の色情報２１０を対応づけた画像情報データテーブル２１５を作成し、それをＰＣ６０１から画像情報無線伝送装置２１２に転送する。なお、ここでは画像情報無線伝送装置２１２が携帯端末であるものとする。
【００２５】
次に、図６に示すように、大型看板１０２に塗布された画素ユニット２０１を含む電子塗料４０２の表示画像を更新する作業者７０５は、大型看板１０２に塗布された画素ユニット２０１を含む電子塗料４０２の表面を任意の場所から任意の方向へ画像情報無線伝送装置２１２でなぞる。画像情報無線伝送装置２１２は、色情報２１０の送信信号に重畳して送信する電力信号２１１により、画像情報無線伝送装置２１２でなぞった画素ユニット２０１へ電力を伝送して画素ユニット２０１の電子回路を起動させる。そして、起動させた電子回路から送信される当該画素ユニット２０１の識別情報２０６を受信する。
【００２６】
画像情報無線伝送装置２１２は、受信した識別情報２０６に対応する画素、つまり画素ユニット２０１の色情報２１０を画像情報データテーブル２１５から選択し、対象の画素ユニット２０１に送信する。画素ユニット２０１の電子ペーパー駆動手段２０７は、無線通信制御手段２０５が受信した色情報２１０に基づき、電子ペーパー２０８の色を変更する。なお、画像更新作業者７０５が画像情報無線伝送装置２１２でなぞって色を変更させた後の画像ユニット２０１を、図６中の符号７０３で示し、画像情報無線伝送装置２１２でなぞる前の、つまり色を変更させる前の画像ユニット２０１を、図６中の符号７０４で示す。また、図６中の符号７０６は、画像更新作業者７０５が画素ユニット２０１を含む電子塗料４０２をなぞった画像情報無線伝送装置２１２の軌跡を示す。
【００２７】
以上、特定の実施形態を参照しながら、本発明について詳解してきた。しかしながら、本発明の要旨を逸脱しない範囲で当業者が実施形態の修正や代用を成し得ることは自明である。
また、図２に示すように、画素ユニット２０１の外形を球状とする例にとって本発明の実施形態について説明したが、本発明の要旨はこれに限定されるものではない。画素ユニット２０１の外形を球状とすることに代えて、外形を正多面体としても、本発明を実施できる。
【００２８】
要するに、例示という形態で本発明を開示してきたのであり、前記実施形態の記載内容を限定的に解釈するべきではない。本発明の要旨を判断するためには、特許請求の範囲の欄を参酌すべきである。
【符号の説明】
【００２９】
１０２…大型看板
２０１…画素ユニット
２０３…アンテナ
２０４…無線電力受信手段
２０５…無線通信制御手段
２０６…識別情報
２０７…電子ペーパー駆動手段
２０８…電子ペーパー
２１０…色情報
２１１…電力信号
２１２…画像情報無線伝送装置
２１３…アンテナ
２１４…無線通信制御手段
２１５…画像情報データテーブル
２１６…メモリ
２２０…座標検出装置
２２１…電力信号
２２３…アンテナ
２２４…無線通信制御手段
２２５…座標情報データテーブル
２２６…座標検出手段
２２７…メモリ
３０１…ＩＣチップ
３０２…可視光透過性のアンテナ
４０１…透明樹脂
４０２…電子塗料
６０１…ＰＣ
６０２…画像
７０３…色を変更させた後の画素ユニット
７０４…色を変更させる前の画素ユニット
７０５…画像更新作業者
７０６…画像情報無線伝送装置でなぞった軌跡
【図１】
2012203320.tif 000003
【図２】
2012203320.tif 000004
【図３】
2012203320.tif 000005
【図４】
2012203320.tif 000006
【図５】
2012203320.tif 000007
【図６】
2012203320.tif 000008
【図７】
2012203320.tif 000009